(57)【特許請求の範囲】
【請求項１】
照明装置に設置されて前記照明装置に電気を供給するケーブルと前記ケーブルが引き出されるボックス本体とを備えた電源ボックスにおいて、前記ボックス本体から引き出されたケーブルを、前記ボックス本体に沿って固定する配線固定手段を備え、前記配線固定手段は、前記ボックス本体に沿って設置されて前記ケーブルを支持するアームと、前記ボックス本体から引き出されたケーブルを結束する２つの結束部を有し、前記ケーブルは前記２つの結束部間で伸張して固定されていることを特徴とする電源ボックス。
【請求項２】
請求項１に記載された電源ボックスであって、前記結束部は、前記ケーブルに加わった力を、前記ボックス本体内における前記ケーブルと電源基板との接続部にまで伝わるのを遮断することを特徴とする電源ボックス。
【請求項３】
請求項１又は請求項２のいずれかに記載された電源ボックスであって、前記結束部は、前記ボックス本体のケーブルの引き出し口付近と、前記引き出し口とは反対側の端面付近の２カ所に設けられていることを特徴とする電源ボックス。
【請求項４】
請求項１乃至請求項３のいずれかに記載された電源ボックスであって、前記ケーブルは、前記ボックス本体の中央部よりも前記配線固定手段が設けられている側の側面寄りから引き出されていることを特徴とする電源ボックス。
【請求項５】
請求項１乃至請求項４のいずれかに記載された電源ボックスであって、前記ボックス本体から引き出された前記ケーブルは、前記ボックス本体側へ引き返すように折り返して配線されていることを特徴とする電源ボックス。
【発明の詳細な説明】
【技術分野】
【０００１】
本発明は、例えば、主に、事業所や店舗等の商業施設等の比較的広い施設の天井面に設置される照明装置に設置される電源ボックスの改良に関し、特に、コストを低減しつつ、ケーブルの断線を防止することに関するものである。
【背景技術】
【０００２】
近年、環境意識の高まりから、省電力化に優れたＬＥＤ素子を光源に使用した、電源内蔵型のＬＥＤランプが普及してきた。特に、最近は、比較的長尺の直管蛍光灯ランプの代替製品としても、長尺のＬＥＤモジュールを備えた直管型ＬＥＤ照明装置が開発され、市場に導入されるに至っている。
【０００３】
このような直管型のＬＥＤ照明装置は、一般に、天井面等の被取付面に取り付けられ電源等を内蔵する本体と、この本体に装着されるＬＥＤモジュールとを備え、この本体内には、照明装置のＬＥＤ基板等に電気を供給するための電源ボックスが設置される。このような電源ボックスは、各種のケーブルを備えているが、これらの電源ボックスから引き出されたケーブルは、一般に、自由状態で引き出されて配線されていることが多く、引き出されたケーブルの配線状態について特に配慮している電源ボックスはなかった（例えば、特許文献１、２等参照）。
【０００４】
しかし、これらの従来技術のように、電源ボックスから引き出された配線が、本体内において自由状態で配線されていると、照明装置の取り付け工事中等に配線されたケーブルが誤って引っ張られて、電源基板に半田付けされた配線が断線したり、あるいは、電源基板から引き剥がされてしまうおそれがあった。
【０００５】
このため、電源ボックスのケーブルの引き出し口において、ケーブルを固定するためのブッシュ等を設けて、電源基板から引き剥がれるのを防止することが行われるが、別部品であるブッシュを設置すると、コストが上昇すると共に、電源ボックスの組み付けに手間を要する問題が生じる。
【０００６】
また、電源ボックスから引き出されたケーブルが、本体内で不必要に遊んで配線されていると、照明装置の取付作業の障害となり、配線を除けながら作業する必要等が生じて、作業性を低下させる問題もあった。
【先行技術文献】
【特許文献】
【０００７】
【特許文献１】特開２０１０−６７８８５号公報
【特許文献２】特開２０１０−１３５２６３号公報
【発明の概要】
【発明が解決しようとする課題】
【０００８】
本発明が解決しようとする課題は、上記の問題点に鑑み、照明装置内でのケーブルの無駄な遊びを解消して設置等の作業の支障となるのを回避すると共に、コストの上昇を抑制しつつ、ケーブルの断線や電源基板からの引き剥がれ等の電気的接続の破損を防止することができる照明装置用の電源ボックスを提供することにある。
【課題を解決するための手段】
【０００９】
本発明は、上記の課題を解決するための第１の手段として、照明装置に設置されてこの照明装置に電気を供給するケーブルと、このケーブルが引き出されるボックス本体とを備えた電源ボックスにおいて、ボックス本体から引き出されたケーブルを、ボックス本体に沿って固定する配線固定手段を備え、この配線固定手段は、ボックス本体に沿って設置されてケーブルを支持するアームと、ボックス本体から引き出されたケーブルを結束する２つの結束部を有し、ケーブルは２つの結束部間で伸張して固定されていることを特徴とする電源ボックスを提供するものである。
【００１０】
また、本発明は、上記の課題を解決するための第２の手段として、上記第１の解決手段において、結束部は、ケーブルに加わった力を、ボックス本体内におけるケーブルと電源基板との接続部にまで伝わるのを遮断することを特徴とする電源ボックスを提供するものである。
【００１１】
本発明は、上記の課題を解決するための第３の手段として、上記第１又は第２のいずれかの解決手段において、結束部は、ボックス本体のケーブルの引き出し口付近と、引き出し口とは反対側の端面付近の２カ所に設けられていることを特徴とする電源ボックスを提供するものである。
【００１２】
本発明は、上記の課題を解決するための第４の手段として、上記第１乃至第３のいずれかの解決手段において、ケーブルは、ボックス本体の中央部よりも配線固定手段が設けられている側の側面寄りから引き出されていることを特徴とする電源ボックス提供するものである。
【００１３】
本発明は、上記の課題を解決するための第５の手段として、上記第１乃至第４のいずれかの解決手段において、ボックス本体から引き出されたケーブルは、ボックス本体側へ引き返すように折り返して配線されていることを特徴とする電源ボックスを提供するものである。
【発明の効果】
【００１４】
本発明によれば、上記のように、電源ボックスにおいて、ボックス本体から引き出されたケーブルを、ボックス本体に沿って固定する配線固定手段を備えているため、ケーブルが不必要に本体内において遊ぶことがなく、照明装置の設置作業等の際に配線されたケーブルが支障となることがなく作業性が高まると同時に、作業中にケーブルが誤って引っ張られて不意に断線したり電源基板から引き剥がれることを防止することができる実益がある。
【００１５】
この場合、本発明によれば、上記のように、配線固定手段は、ボックス本体に沿って設置されてケーブルを支持するアームを有しているため、ケーブルの他の電子部品との接触や干渉を回避することができ、ケーブルが作業の支障となるのを回避することができると同時に、作業者が誤ってケーブルを引っ張ってしまうことを防止することができる実益がある。
【００１６】
同様に、本発明によれば、上記のように、配線固定手段は、ボックス本体から引き出されたケーブルを結束する結束部を有しているため、ケーブルの無駄な遊びを解消することができると同時に、別途、ブッシュを設けることなく、ケーブルに加わった力を結束部で遮断して、ケーブルが電源基板から引き剥がれたり断線するのを防止することができるので、コストの上昇を回避しつつ、ケーブルの電気的接続を確保することができる実益がある。
【００１７】
更に、本発明によれば、上記のように、ケーブルは、ボックス本体の中央部よりも配線固定手段が設けられている側の側面寄りから引き出されているため、配線固定手段により固定されるまでの距離を短くすることができ、それだけ、遊びが解消されて他の電子部品との接触や干渉、また、誤って引っ張られるおそれを回避することができる実益がある。
【００１８】
加えて、本発明によれば、上記のように、ボックス本体から引き出されたケーブルは、ボックス本体側へ引き返すように折り返して配線されているため、ケーブルがボックス本体といわば一体化して、不必要な遊びがない状態で配線される実益がある。
【図面の簡単な説明】
【００１９】
【図１】本発明の電源ボックスを備えた照明装置の本体の平面図である。
【図２】本発明の電源ボックスが設置された照明装置の本体の拡大斜視図である。
【図３】本発明の電源ボックスの斜視図である。
【発明を実施するための形態】
【００２０】
本発明の実施の形態について図面を参照しながら詳細に説明すると図１及び図２は、本発明の電源ボックス１０を備えた照明装置１を示し、この照明装置１は、例えば、事業所や店舗等の商業施設等天井面に多数設置されて、比較的の広いスペースを照射するために用いられる。この照明装置１は、図１及び図２に示すように、長尺の直管型の照明装置１であって、天井面等の被取付面に取り付けられる本体１２と、この本体１２に装着される図示しないＬＥＤモジュール等の光源モジュールとを備えている。
【００２１】
（１．本体）
本体１２は、図１及び図２に示すように、中央に凹部状の溝部１２Ａを有する一方、この溝部１２Ａの長手方向における両端面から延びるようにして形成されたテーパー部１２Ｂとから成り、溝部１２Ａの天面を通じて吊りボルト１６により天井面等の被取付面に直付けされる。この溝部１２Ａには、光源モジュールを装着した場合にその一部が収容される。なお、この本体１２は、例えば、比較的軽量で放熱性の高いカラー鋼板等の金属製材料をプレス加工等することにより形成することができる。
【００２２】
（２．光源モジュール）
一方、光源モジュールは、本体１２の溝部１２Ａに対応した長尺状の形状に形成されている。なお、この光源モジュールとしては、特に限定はなく、直管型蛍光灯ユニット等を使用することもできるが、ＬＥＤモジュールとすることが望ましい。ＬＥＤモジュールとした場合には、内部に図示しないＬＥＤ基板及びこのＬＥＤ基板に装着されるＬＥＤ素子が装填されている。また、このＬＥＤモジュールは、透光性カバーで覆われており、この透光性カバーは、本体１２のテーパー部１２Ｂに続くなだらかなテーパー面に形成され、照明装置１として優れた意匠性を発揮している。
【００２３】
また、ＬＥＤモジュール内に配置されるＬＥＤ基板の形状やＬＥＤ素子の配置については、特に限定はないが、例えば、ＬＥＤ基板の両端（長手方向の始端と終端）付近において実装されるＬＥＤ素子の密度を、ＬＥＤ基板の中央部付近に配置されるＬＥＤ素子の密度よりも高めて集中的に配置することが望ましい。これにより、照明装置１の両端における光度の減少を抑制することができると共に、特に、複数の照明装置１を天井面において連結して連続して配置する場合においても、照明装置１間に連結部分における明るさの減少を抑制して、光の連続性を維持して、直線状の発光を確保することができる。
【００２４】
また、ＬＥＤモジュール、ひいてはその内部に装填されるＬＥＤ基板は、平板状に形成することができるが、光の拡散効率を考慮して、ＬＥＤモジュールを逆Ｖ字型に形成して、その各々の斜面にＬＥＤ基板を逆Ｖ字型に配置することや、フレキシブルなＬＥＤ基板を逆Ｖ字型に折り曲げて配置することもできる。
【００２５】
なお、ＬＥＤモジュールの透光性カバーは、ＬＥＤ基板の載置部に、ＬＥＤモジュールの長手方向における端末部からスライドさせて組み立てるため、ＬＥＤ基板の載置部と確実に嵌合しており、落下の虞がない。また、このＬＥＤモジュールは、図示しないバネ受けに復元力により係合する本体１２に設けられたバネ１４により本体１２に着脱自在に取り付けられる。
【００２６】
この場合、図１に示すように、バネ１４を本体１２に設ける一方、バネ受けをＬＥＤモジュールに設けることが望ましい。ＬＥＤモジュール側にバネを設けた場合と異なり、バネ１４をその付勢力に抗して変形させながら同時にバネ１４を把持してＬＥＤモジュールごと引き上げる必要がなく、面倒な力作業を要することなく、簡易にＬＥＤモジュールを本体１２に装着することができるからである。但し、この形態に限定されるものではなく、バネ１４をＬＥＤモジュールに、バネ受けを本体１２に設置する形態とすることもできる。
【００２７】
（３．電源ボックス）
本発明の電源ボックス１０は、図１及び図２に示すように、照明装置１の本体１２の溝部１２Ａに設置されて、一方端からＡＣ電源が入力され、他方端からＤＣを出力して、照明装置１の図示しないＬＥＤ基板等に給電する。この電源ボックス１０は、図１乃至図３に示すように、この照明装置１に電気を供給するケーブル１８と、このケーブル１８が引き出されるボックス本体２０とを備えている。ボックス本体２０は、例えば、比較的軽量で放熱性の高い亜鉛めっき鋼板等の金属製材料をプレス加工等することにより形成することができる。
【００２８】
本発明の電源ボックス１０について、図示の実施の形態では、図３に示すように、ボックス本体２０側へ引き返すように折り返して配線する形態を例に説明する。本発明の電源ボックス１０は、特に図３に示すように、ボックス本体２０から引き出されたケーブル１８を、このボックス本体２０に沿って固定する配線固定手段２２を備えている。このため、図３に示すように、ケーブル１８が不必要に本体１２内において遊ぶことがなく、照明装置１の設置作業等の際に配線されたケーブル１８が支障となることがなく作業性が高まると同時に、作業中にケーブル１８が誤って引っ張られて不意に断線したり、図示しない電源基板から引き剥がれることを防止することができる。
【００２９】
具体的には、配線固定手段２２は、図３に示すように、ボックス本体２０に沿って設置されて、ケーブル１８を支持するアーム２４を有している。このアーム２４は、ボックス本体２０の側面を利用して、この側面の下方の一部を連続して折り曲げ加工することにより、側面から横方向に突出するように形成することができる。その他、例えば、ボックス本体２０とは別体の、Ｌ字状の部材等をボックス本体２０の側面に取り付けること、あるいは、板状部材をボックス本体２０の底面に取り付けること等により形成することもできる。なお、このアーム２４は、隣接する他の照明装置１へ電力を送付するためのケーブルを配置するために利用することもできる。
【００３０】
ボックス本体２０から引き出されたケーブル１８は、図３に示すように、このアーム２４により周囲を囲まれるため、ケーブル１８の他の電子部品との接触や干渉を回避することができ、ケーブル１８が作業の支障となるのを回避することができると同時に、作業者が誤ってケーブル１８を引っ張ってしまうことを防止することができる。
【００３１】
また、この配線固定手段２２は、図３に示すように、ボックス本体２０から引き出されたケーブル１８を結束する結束部２６を有している。この結束部２６は、具体的には、図３に示すように、リング状部材から形成することができ、このリング状部材のリングを貫通して配線することにより、ブッシュ等の別部品を使用することなく、ケーブル１８を結束させることができる。この場合、この結束部２６を、図３に示すように、ボックス本体２０のケーブル１８の引き出し口２８付近と、この引き出し口２８とは反対側の端面付近の２カ所に設け、この２つの結束部２６間でケーブル１８を伸張して固定する。
【００３２】
このため、図３に示すように、ケーブル１８の無駄な遊びを解消することができると同時に、別途ブッシュを設けることなく、ケーブル１８に加わった力を結束部２６で遮断することができ、ケーブル１８に予期しない引っ張り力が加わったわった場合にも、その引っ張り力が、ボックス本体２０内におけるケーブル１８と図示しない電源基板との接続部にまで伝わることがなく、ケーブル１８が電源基板から引き剥がれたり、断線するのを防止することができる。従って、コストの上昇を回避しつつ、ケーブル１８の電気的接続を確保することができる。
【００３３】
更に、ボックス本体２０に形成されたケーブル１８の引き出し口２８は、図２及び図３に示すように、ボックス本体２０のうち、配線固定手段２２が設けられている側面側に形成されている。従って、ケーブル１８は、図３に示すように、ボックス本体２０の中央部よりも配線固定手段２２が設けられている側の側面寄りから引き出される。
【００３４】
このため、図３に示すように、配線固定手段２２のアーム２４により固定されるまでの距離を短くすることができ、それだけ、遊びが解消されて他の電子部品との接触や干渉、また、誤って引っ張られるおそれを回避することができる。
【００３５】
なお、ボックス本体２０から引き出されたケーブル１８は、図３に示すように、ボックス本体２０側へ引き返すように折り返して配線されている。このため、ケーブル１８は、ボックス本体２０の周囲を這うようにして配線され、ケーブル１８がボックス本体２０といわば一体化して、不必要な遊びがない状態で配線される。このため、作業者が、彩余ってケーブルを引っ張る等してケーブル１８に予期しない引っ張り力が加わるのを防止することができる。但し、ケーブル１８の配線は、必ずしも、この図３の実施の形態に示す形状には限定されず、ケーブル１８を折り返さないで配線することもできる。
【産業上の利用可能性】
【００３６】
本発明は、例えば、主に、事業所や店舗等の商業施設等の比較的広い施設の天井面に設置される直管型の照明装置１０その他の照明装置に広く適用することができる。
【符号の説明】
【００３７】
１  照明装置
１０  電源ボックス
１２  本体
１２Ａ  溝部
１２Ｂ  テーパー部
１４  バネ
１６  吊りボルト
１８  ケーブル
２０  ボックス本体
２２  配線固定手段
２４  アーム
２６  結束部
２８  引き出し口
【要約】
【課題】  照明装置内でのケーブルの無駄な遊びを解消して設置等の作業の支障となるのを回避すると共に、コストの上昇を抑制しつつ、ケーブルの断線や電源基板からの引き剥がれ等の電気的接続の破損を防止する。
【解決手段】  電源ボックス１０は、照明装置に設置されて、この照明装置に電気を供給するケーブル１８と、このケーブル１８が引き出されるボックス本体２０とを備えている。電源ボックス１８は、ボックス本体２０から引き出されたケーブル１８を、ボックス本体２０に沿って固定する配線固定手段２２を備えている。この配線固定手段２２は、ボックス本体２０に沿って設置されてケーブル１８を支持するアーム２４及びボックス本体２０から引き出されたケーブル１８を結束する結束部２６を有している。
【選択図】        図３【図１】
0005547328.tif 000002
【図２】
0005547328.tif 000003
【図３】
0005547328.tif 000004